(57)【要約】【課題】  一人乃至少人数で簡単かつ安全にビニールシート掛け作業を行うことができ、風の強い日でもビニールシートの展張・固定作業が進められ、しかも作業員によってビニールシートを引っ張る作業を行わなくても適度なテンションを付与して掛けた分から逐次速やかに固定することができるビニールシート掛け装置を提供する。【解決手段】  屋根骨組部材５２ａに沿って長尺状に形成され、ビニールシートＳを載置可能なフレーム状に形成されたシート載置用フレーム２と、このシート載置用フレーム２の下側に設けられ、隣設する屋根骨組部材５２ａの間隔よりも長尺な長さに形成され、ビニールハウス５の尾根方向に沿って屋根骨組み上を滑走可能な滑走用ソリ部３と、シート載置用フレーム２の後端側に設けられ、ビニールシートＳを後方側に繰り出す際に上下方向から狭持しつつ後方へ送り出して展張させるシート展張部４とを有している。【選択図】  図１
2008011801.tif 000002
【特許請求の範囲】
【請求項１】
ビニールハウスの屋根部を構成する屋根骨組部材に沿って長尺状に形成されるとともに、折り畳まれた屋根用のビニールシートを載置可能なフレーム状に形成されたシート載置用フレームと、
このシート載置用フレームの下側に設けられ、隣設されている前記屋根骨組部材の間隔よりも長尺な長さに形成され、ビニールハウスの尾根方向に沿って屋根骨組み上を滑走可能な滑走用ソリ部と、
前記シート載置用フレームの後端側に設けられ、このシート載置用フレームに載置されたビニールシートを後方側に繰り出す際に、当該ビニールシートを上下方向から狭持しつつ後方へ送り出して展張させるシート展張部と
を有することを特徴とするビニールシート掛け装置。
【請求項２】
請求項１において、シート載置用フレームは、前記屋根骨組部材の形状に沿って変形可能なリンク状連接部を備えていることを特徴とするビニールシート掛け装置。
【請求項３】
請求項１または請求項２において、前記シート展張部は、前記屋根骨組部材に沿って所定間隔を隔てて複数設けられており、
前記シート載置用フレームの後方側に回転自在に軸支された下部ローラと、
前記シート載置用フレームの前方側から後方側までの長さを有しており、ビニールシートを載置するために前方側端部を開閉自在に軸支された開閉アームと、
この開閉アームの後方側の自由端部に回転自在に軸支された上部ローラと、
この上部ローラを前記下部ローラに押圧させる付勢部材とを
それぞれ有していることを特徴とするビニールシート掛け装置。
【請求項４】
請求項３において、前記上部ローラの回転軸に固定されて同軸回転し、その外周面には周方向に沿って所定間隔を隔てて係止穴が形成されたストッパーローラと、このストッパーローラの係止穴に係合しうる逆回転防止ストッパーとを有しており、
前記係止穴は、前記上部ローラが前記ビニールシートを送り出す方向に正回転するときには前記逆回転防止ストッパーが係止することなく摺接しうる傾斜摺接面を備えているとともに、前記上部ローラが逆回転したときには前記逆回転防止ストッパーが係止しうる係止壁面を備えていることを特徴とするビニールシート掛け装置。
【請求項５】
請求項１から請求項４のいずれかにおいて、隣接されている前記屋根骨組部材の間隔よりも短い長さに形成されているとともに、前記ビニールハウスの尾根に沿って構成された尾根骨組部材の両側に対で配置され、かつ、前記尾根骨組部材の長手方向に沿って回転自在に軸支された位置ズレ防止ストッパーを有していることを特徴とするビニールシート掛け装置。
【発明の詳細な説明】
【技術分野】
【０００１】
本発明は、ビニールハウスの屋根部分を構成する屋根骨組みにビニールシートを掛けるためのビニールシート掛け装置に関するものである。
【背景技術】
【０００２】
従来より、ビニールハウスの屋根部分を構成する屋根骨組みにビニールシートを掛ける作業は、多くの作業員による手作業によって行われている。具体的には、２〜３人がかりでビニールシートの一端を押さえ付けておき、ビニールハウスの両側に二人、屋根骨組みの上に一人の作業員が配置され、ビニールシートの他端を引っ張りながら屋根骨組みに掛ける作業が進められている。
【０００３】
また、このようなビニールシート掛け作業を補助するための技術が提案されている。例えば、特開平８−２１４７１０号公報には、屋根骨組みの上を棟方向に沿って可動な走行部と、この走行部に屋根骨組みから浮上した状態に設置され、屋根骨組みのアーチ形状にほぼ沿って棟とほぼ直交する状態のシート載置架台とを備えたビニールハウスにおける屋根シート展張用補助具が提案されている（特許文献１）。
【０００４】
【特許文献１】特開平８−２１４７１０号公報
【発明の開示】
【発明が解決しようとする課題】
【０００５】
しかしながら、上述したような多くの作業員による手作業でビニールシート掛け作業を行う場合、大きくて重たいビニールシートを広範囲にかけて広げなければならず、極めて重労働である。また、屋根骨組み上に配置される作業員は、高所での作業となるため危険であり、腕力のある熟練した作業員でなければスムーズに作業を進められないという問題もある。
【０００６】
また、通常、ビニールシートは、所定の位置に正確に広げた後、その位置がずれないように複数の作業員が押さえ付けながら骨組みに固定している。このため、風の強い日には、押さえ付ける作業自体が困難であるし、ビニールシートが強風で吹き飛ばされてしまうおそれもある。
【０００７】
さらに、上述したビニールシート掛け作業においては、通常、ビニールシートを地面に置いた状態から屋根骨組みの上まで引っ張りながら持ち上げている。このため、ビニールシートを骨組に引っ掛けてしまい、ビニールシート表面に施されている無滴加工を傷つけてその効果を低減させてしまったり、最悪の場合、ビニールシートを破いたり、穴を開けてしまうという問題がある。
【０００８】
また、上記特許文献１に記載された発明においては、単なる補助具に過ぎない。つまり、単に、屋根シートをシート載置架台に載置しているだけであり、その繰り出しを規制あるいは調節する手段が設けられていない。このため、屋根シートは、何ら制限されることなく自由に繰り出され、ビニールハウスとして好適なテンションを付与されることがないため、だぶついた状態で骨組みに固定されてしまう。したがって、結局、複数の作業員が屋根の端部を持って展張させる作業が必要となる。
【０００９】
また、上記特許文献１においては、屋根シート展張用補助具を移動させるための走行部として、単に、そり状フレームを備えているだけである。このため、屋根骨組み上を滑走移動させている間に左右方向の重心バランスが崩れると、屋根シート展張用補助具が骨組み上を横滑りして地面に落下してしまうおそれがあり、作業者に衝突して怪我をさせてしまうおそれがある。
【００１０】
さらに、上記特許文献１においては、くの字状のジョイントを用いて各パイプを連結することにより、シート載置架台を多角形状に湾曲させている。しかしながら、屋根骨組みの湾曲度合が異なるビニールハウスに使用する場合には、その都度、屈曲角度の異なるジョイントに交換して各パイプを連結し直さなければならず、面倒な作業を伴い非効率的である。
【００１１】
本発明は、このような問題点を解決するためになされたものであって、一人乃至少人数で簡単かつ安全にビニールシート掛け作業を行うことができ、風の強い日でもビニールシートの展張・固定作業が進められ、しかも作業員によってビニールシートを引っ張る作業を行わなくても適度なテンションを付与して掛けた分から逐次速やかに固定することができるビニールシート掛け装置を提供することを目的としている。
【課題を解決するための手段】
【００１２】
本発明に係るビニールシート掛け装置の特徴は、ビニールハウスの屋根部を構成する屋根骨組部材に沿って長尺状に形成されるとともに、折り畳まれた屋根用のビニールシートを載置可能なフレーム状に形成されたシート載置用フレームと、このシート載置用フレームの下側に設けられ、隣設されている前記屋根骨組部材の間隔よりも長尺な長さに形成され、ビニールハウスの尾根方向に沿って屋根骨組み上を滑走可能な滑走用ソリ部と、前記シート載置用フレームの後端側に設けられ、このシート載置用フレームに載置されたビニールシートを後方側に繰り出す際に、当該ビニールシートを上下方向から狭持しつつ後方へ送り出して展張させるシート展張部とを有する点にある。
【００１３】
また、本発明において、シート載置用フレームは、前記屋根骨組部材の形状に沿って変形可能なリンク状連接部を備えていることが好ましい。
【００１４】
さらに、本発明において、前記シート展張部は、前記屋根骨組部材に沿って所定間隔を隔てて複数設けられており、前記シート載置用フレームの後方側に回転自在に軸支された下部ローラと、前記シート載置用フレームの前方側から後方側までの長さを有しており、ビニールシートを載置するために前方側端部を開閉自在に軸支された開閉アームと、この開閉アームの後方側の自由端部に回転自在に軸支された上部ローラと、この上部ローラを前記下部ローラに押圧させる付勢部材とをそれぞれ有していることが好ましい。
【００１５】
また、本発明において、前記上部ローラの回転軸に固定されて同軸回転し、その外周面には周方向に沿って所定間隔を隔てて係止穴が形成されたストッパーローラと、このストッパーローラの係止穴に係合しうる逆回転防止ストッパーとを有しており、前記係止穴は、前記上部ローラが前記ビニールシートを送り出す方向に正回転するときには前記逆回転防止ストッパーが係止することなく摺接しうる傾斜摺接面を備えているとともに、前記上部ローラが逆回転したときには前記逆回転防止ストッパーが係止しうる係止壁面を備えていることが好ましい。
【００１６】
さらに、本発明において、隣接されている前記屋根骨組部材の間隔よりも短い長さに形成されているとともに、前記ビニールハウスの尾根に沿って構成された尾根骨組部材の両側に対で配置され、かつ、前記尾根骨組部材の長手方向に沿って回転自在に軸支された位置ズレ防止ストッパーを有していることが好ましい。
【発明の効果】
【００１７】
本発明によれば、一人乃至少人数で簡単かつ安全にビニールシート掛け作業を行うことができ、風の強い日でもビニールシートの展張・固定作業が進められ、しかも作業員によってビニールシートを引っ張る作業を行わなくても常に適度なテンションを付与するためビニールシートを掛けた分から逐次速やかに固定することができる。
【発明を実施するための最良の形態】
【００１８】
以下、本発明に係るビニールシート掛け装置の実施形態について図面を用いて説明する。図１は、本実施形態のビニールシート掛け装置１を示す斜視図であり、図２から図４は、本実施形態のビニールシート掛け装置１をビニールハウス５の骨組み上に載置した状態を示す正面図、平面図および側面図である。
【００１９】
図１から図４に示すように、本実施形態のビニールシート掛け装置１は、主として、ビニールシートＳを載置するためのシート載置用フレーム２と、このシート載置用フレーム２の下面に設けられる滑走用ソリ部３と、前記シート載置用フレーム２からビニールシートＳを狭持しつつ送り出して展張させるシート展張部４とを有している。
【００２０】
なお、本実施形態において、ビニールハウス５の骨組み構造は、図２から図４に示すように、地面に立設される本体骨組み５１と、この本体骨組み５１上に設置される屋根骨組み５２から構成されている。本体骨組み５１は複数本の本体骨組部材５１ａが所定の間隔を隔てて地面に立設されており、これら本体骨組部材５１ａの上端に屋根部を構成する略アーチ形状の屋根骨組部材５２ａが連結されている。そして、これら屋根骨組部材５２ａの頂点部を結ぶ線上に略直線状の尾根骨組部材５２ｂが設けられている。
【００２１】
以下、各構成部についてより詳細に説明する。シート載置用フレーム２は、折り畳まれた屋根用のビニールシートＳを載置するものであり、屋根骨組部材５２ａの長手方向に沿って長尺状に形成されている。また、本実施形態において、シート載置用フレーム２は、屋根骨組み５２の形状に沿って変形可能に構成されている。具体的には、図１から図３に示すように、シート載置用フレーム２は、複数のフレームユニット２１がリンク状連接部２２によって互いに連接されており、中心位置に設けられるセンターフレーム２３に対して左右対称に構成されている。
【００２２】
各フレームユニット２１は、図５に示すように、一対のフレーム部材２１ａが、所定の間隔を隔てて平行に配置されており、これらフレーム部材２１ａの間にはビニールシートＳを載置するためのシート載置網２１ｂが細いワイヤー等によって構成されている。また、各フレームユニット２１の端部には、隣接するフレームユニット２１同士を回転自在に連接するためのリンク状連接部２２が設けられている。本実施形態において、リンク状連接部２２は、所定の回転許容範囲を有するヒンジ機構から構成されており、シート載置用フレーム２の湾曲度合を適宜変更しうるようになっている。なお、シート載置用フレーム２を変形可能にする構成としては、リンク状連接部２２に限定されずに、ゴム等の弾性変形の大きい部材を連接部に用いることによって構成してもよい。
【００２３】
滑走用ソリ部３は、屋根骨組み５２上において、シート載置用フレーム２をビニールハウス５の長手方向、すなわち尾根方向に沿って滑走移動させるためのものである。本実施形態において、滑走用ソリ部３は、隣接する屋根骨組部材５２ａの間隔よりも長いソリ状フレーム３１から構成されており、このソリ状フレーム３１の滑走面に樹脂等の低摩擦部材３２がコーティングされている。また、ソリ状フレーム３１は、図２に示すように、各フレームユニット２１の下面に固定されており、このソリ状フレーム３１のコーティング面を介して屋根骨組み５２上を滑走させて、各フレームユニット２１を速やかに移動させられるようになっている。
【００２４】
シート展張部４は、ビニールシートＳに所定のテンションを付与しつつ、シート載置用フレーム２の後方へ送り出して展張させる役割を果たすものである。本実施形態において、シート展張部４は、屋根骨組部材５２ａに沿って所定間隔を隔てて複数設けられており、図５から図７に示すように、主として、一対の下部ローラ４１，４１と、上部ローラ４２と、開閉アーム４３と、付勢部材４４とから構成されている。
【００２５】
下部ローラ４１，４１および上部ローラ４２は、ビニールシートＳを上下方向から狭持しつつ送り出すためのものであり、ゴムローラ等から構成されている。本実施形態では、図７に示すように、シート載置用フレーム２の後方側に下部ローラ軸支部４５が設けられており、この下部ローラ軸支部４５に一対の下部ローラ４１，４１が回転自在に軸支されている。また、本実施形態の下部ローラ４１，４１は、前後方向に間隙を隔てて並列配置されており、これら下部ローラ４１，４１の双方に当接しうるように上部ローラ４２が設けられている。
【００２６】
前記上部ローラ４２は、開閉アーム４３の一端部に回転自在に軸支されて一対の下部ローラ４１，４１間に配置されている。つまり、図５に示すように、開閉アーム４３は、シート載置用フレーム２の前方側から後方側までの長さに形成されており、その前方側の基端部がソリ状フレーム３１の前端部に開閉自在に軸支されている。これは、ビニールシートＳを載置しやすいように開閉させる構造である。そして、開閉アーム４３の後方側の自由端部には、上部ローラ軸支部４６が固定されており、この上部ローラ軸支部４６に上部ローラ４２が回転自在に軸支されている。
【００２７】
また、本実施形態では、図５に示すように、開閉アーム４３の前方側端部には、引張バネから構成される付勢部材４４の一端が掛止され、他端がソリ状フレーム３１に掛止されている。したがって、付勢部材４４は、開閉アーム４３を閉方向に付勢し、上部ローラ４２を下部ローラ４１，４１に適当な付勢力によって押圧させるようになっている。そして、折り畳まれたビニールシートＳをシート載置用フレーム２上に載置する場合には、前記付勢部材４４の付勢力に対抗して開閉アーム４３を開口させる。
【００２８】
さらに、本実施形態では、ビニールシートＳのテンションを保持するための機構として、図６および図７に示すように、ストッパーローラ４７と、逆回転防止ストッパー４８とを有している。ストッパーローラ４７は、上部ローラ４２の回転軸と同軸に固定されており、その周方向に沿って外周面に所定間隔を隔てて係止穴４９が形成されている。また、逆回転防止ストッパー４８は、その基端部が上部ローラ軸支部４６に回転自在に軸支され、引張バネやガススプリング等によりストッパーローラ４７側に付勢されている。
【００２９】
本実施形態において、各係止穴４９には、図６に示すように、上部ローラ４２がビニールシートＳを送り出す方向に正回転するときには逆回転防止ストッパー４８が係止することなく摺接しうる傾斜摺接面４９ａと、上部ローラ４２が逆回転したときには逆回転防止ストッパー４８が係止しうる係止壁面４９ｂとが形成されている。したがって、上部ローラ４２が、ビニールシートＳを元に戻す方向に逆回転しようとすると、逆回転防止ストッパー４８の先端部が係止穴４９に係合し、ストッパーローラ４７の逆回転を防止するようになっており、作業中、たとえば風などが吹いてもビニールシートＳが弛まずに安定して展張状態を維持できる。
【００３０】
また、本実施形態では、ビニールシート掛け装置１の位置ズレを防止するための機構として、図１および図２に示すように、位置ズレ防止ストッパー６を有している。この位置ズレ防止ストッパー６は、左右一対の長尺板状体６１，６１を複数個、尾根骨組部材５２ｂの両側においてセンターフレーム２３に回転自在に軸支させている。各位置ズレ防止ストッパー６は、隣接する屋根骨組部材５２ａの間隔よりも短い長さに形成されており、尾根骨組部材５２ｂの長手方向に直交する回転軸周りに回転自在に軸支されている。
【００３１】
したがって、各位置ズレ防止ストッパー６は、通常状態では、自重により垂下されており、ビニールシートＳの展張作業に従って尾根方向に沿って進むと、屋根骨組部材５２ａに当接して回転し、仮にビニールシートＳ載置用フレームが尾根骨組部材５２ｂの左右直交方向にズレそうになったときには、尾根骨組部材５２ｂに当接してズレを防止するようになっている。
【００３２】
つぎに、本実施形態におけるビニールシート掛け装置１による作用、およびビニールシート掛け作業の方法を説明する。
【００３３】
本実施形態のビニールシート掛け装置１によってビニールシートＳを屋根骨組み５２に掛ける場合、まず、すべての開閉アーム４３を開方向に回転させた後、つづら折り等に折り畳まれたビニールシートＳをシート載置用フレーム２上に載置する。このとき、シート載置用フレーム２は、地面に置かれているが、その下面に設けられたソリ状フレーム３１が地面と直接接し、リンク状連接部２２において各フレームユニット２１の角度を変更させるため、自動的に平らな状態に変形されており、簡単に載置作業が終えられる。
【００３４】
そして、載置したビニールシートＳの端部を下部ローラ４１，４１よりも所定長さだけ後方に引き出した状態で、すべての開閉アーム４３を閉方向に回転させる。これにより、付勢部材４４により付勢された上部ローラ４２が、下部ローラ４１，４１側に押圧されるため、引き出されたビニールシートＳは、上部ローラ４２と下部ローラ４１，４１との間でしっかりと狭持される。
【００３５】
つづいて、フォークリフト等のリフト手段により、ビニールシート掛け装置１を持ち上げ、屋根骨組み５２上に載置する。このとき、ビニールシートＳは、折り畳まれた状態で、全体が一度に持ち上げられるため、各骨組部材に引っ掛けてしまうことがない。また、シート載置用フレーム２は、その下面に設けられたソリ状フレーム３１が屋根骨組み５２と当接し、図２に示すように、リンク状連接部２２において各フレームユニット２１の角度が屋根骨組部材５２ａの湾曲形状に合わせて変更され、シート載置用フレーム２全体として、自動的に屋根骨組部材５２ａのカーブに沿った形状に変形される。
【００３６】
また、本実施形態では、センターフレーム２３に設けられた一対の位置ズレ防止ストッパー６が、尾根骨組部材５２ｂの両側に垂下している。このため、風などが吹いてビニールシート掛け装置１に尾根の左右方向へ移動させる力が加わったとしても、各位置ズレ防止ストッパー６が尾根骨組部材５２ｂに当接し、横滑りが防止される。
【００３７】
つづいて、上部ローラ４２および下部ローラ４１，４１からはみ出しているビニールシートＳの端部を屋根骨組み５２の各位置に固定した後、ビニールシート掛け装置１をビニールハウス５の長手方向に牽引する。本実施形態では、図１、図３および図７に示すように、ビニールシート掛け装置１の前端部３カ所に牽引用ワイヤＷを連結し、この牽引用ワイヤＷを所定のウインチ手段７で牽引している。ただし、この構成に限られるものではなく、ビニールシート掛け装置１に別途、駆動車輪等を設けるとともに、屋根骨組み５２上にレール部材を敷設し、このレール部材上を自走させるようにしてもよい。
【００３８】
ウインチ手段７により牽引用ワイヤＷを巻き取りつつ牽引すると、ソリ状フレーム３１が屋根骨組部材５２ａ上を尾根方向に沿って滑らかに移動し、ビニールシート掛け装置１全体を牽引方向に滑走移動させる。このとき、つづら折りで載置されているビニールシートＳは、その一端部がビニールハウス５に固定されているため、上部ローラ４２および下部ローラ４１，４１に狭持されつつ後方に送り出される。
【００３９】
これにより、ビニールシートＳは、図８に示すように、必要以上に繰り出されることがなく、適度なテンションが付与された状態で屋根骨組み５２上に展張される。また、展張された部分を順次、固定することにより、風の強い日でも容易にビニールシート掛け作業を安全に行えるようになっている。
【００４０】
また、本実施形態では、上記のように、上部ローラ４２がビニールシートＳを送り出す方向に正回転している限り、逆回転防止ストッパー４８が、ストッパーローラ４７の傾斜摺接面４９ａと摺接し、係止穴４９に係止することがない。このため、上部ローラ４２の正回転は防止されることがない。一方、装置に逆方向の力が働いて上部ローラ４２が逆回転方向の力を受けたときには、逆回転防止ストッパー４８が、ストッパーローラ４７の係止壁面４９ｂに当接し、係止穴４９に係止する。したがって、上部ローラ４２は逆回転しない。
【００４１】
さらに、各位置ズレ防止ストッパー６は、ビニールシート掛け装置１の滑走移動に伴って各屋根骨組部材５２ａに当接するが、後方に押されるように回転し、各屋根骨組部材５２ａを順次、乗り越えて進む。そして、屋根骨組部材５２ａを乗り越えた位置ズレ防止ストッパー６は、自重により再び垂下し、位置ズレ防止機能を果たすようになっている。ただし、一対だけでは位置ズレ防止ストッパー６が一つの屋根骨組部材５２ａを乗り越えている間、位置ズレ防止機能を果たせないおそれがある。このため、本実施形態では、一対の位置ズレ防止ストッパー６が乗り越え中であっても、他の一対の位置ズレ防止ストッパー６が垂下している状態を確保するために、複数対の位置ズレ防止ストッパー６を設けている。
【００４２】
一方、引き続きウインチ手段７により、ビニールシート掛け装置１を屋根骨組み５２の端部まで滑走移動させた後、リフト手段によって、ビニールシート掛け装置１を地面に下ろす。そして、ビニールシートＳの端部をビニールハウス５に固定することにより、ビニールシート掛け作業が完了する。
【００４３】
以上のような本実施形態によれば、
１．ビニールシートＳに適度なテンションを付与しながら正確かつ確実に展張することができる。
２．風の強い日であっても一人乃至少人数で簡単かつ安全にビニールシート掛け作業を行うことができる。
３．展張作業中にビニールシートＳが弛むのを防止することができる。
４．ビニールシート掛け装置１が屋根骨組み５２から落下するのを防止し、作業の確実性および安全性を向上することができる等の効果を奏する。
【００４４】
なお、本発明に係るビニールシート掛け装置１は、前述した実施形態に限定されるものではなく、適宜変更することができる。
【００４５】
例えば、本実施形態では、シート載置用フレーム２を屋根骨組み５２に沿って変形可能に構成しているが、一定形状のビニールハウス５に適用する場合などは各フレームユニット２１の連結部を固定しておいてもよい。
【００４６】
また、本実施形態では、位置ズレ防止効果を向上させるため、一対の位置ズレ防止ストッパー６を、センターフレーム２３の長手方向に沿って３つ設けているが、この構成に限られるものではなく、適宜増減させてもよい。
【図面の簡単な説明】
【００４７】
【図１】本発明に係るビニールシート掛け装置の実施形態を示す斜視図である。
【図２】本実施形態のビニールシート掛け装置をビニールハウスを構成する屋根骨組み上に載置した状態を示す正面図である。
【図３】本実施形態のビニールシート掛け装置をビニールハウスを構成する屋根骨組み上に載置した状態を示す平面図である。
【図４】本実施形態のビニールシート掛け装置をビニールハウスを構成する屋根骨組み上に載置した状態を示す側面図である。
【図５】本実施形態のフレームユニットおよびシート展張部を示す拡大斜視図である。
【図６】本実施形態の上部ローラおよび下部ローラ近傍を示す正面図である。
【図７】本実施形態の上部ローラおよび下部ローラ近傍を示す側面図である。
【図８】本実施形態のビニールシート掛け装置を用いてビニールシートを掛けている状態を示す全体図である。
【符号の説明】
【００４８】
１  ビニールシート掛け装置
２  シート載置用フレーム
３  滑走用ソリ部
４  シート展張部
５  ビニールハウス
６  位置ズレ防止ストッパー
７  ウインチ手段
２１  フレームユニット
２１ａ  フレーム部材
２１ｂ  シート載置網
２２  リンク状連接部
２３  センターフレーム
３１  ソリ状フレーム
３２  低摩擦部材
４１  下部ローラ
４２  上部ローラ
４３  開閉アーム
４４  付勢部材
４５  下部ローラ軸支部
４６  上部ローラ軸支部
４７  ストッパーローラ
４８  逆回転防止ストッパー
４９  係止穴
４９ａ  傾斜摺接面
４９ｂ  係止壁面
５１  本体骨組み
５１ａ  本体骨組部材
５２  屋根骨組み
５２ａ  屋根骨組部材
５２ｂ  尾根骨組部材
６１  長尺板状体
Ｓ  ビニールシート
Ｗ  牽引用ワイヤ
【図１】
2008011801.tif 000003
【図２】
2008011801.tif 000004
【図３】
2008011801.tif 000005
【図４】
2008011801.tif 000006
【図５】
2008011801.tif 000007
【図６】
2008011801.tif 000008
【図７】
2008011801.tif 000009
【図８】
2008011801.tif 000010